(57)【要約】【課題】携帯電話が手元に無い状態でも携帯電話を利用することができ、携帯電話自身の遠隔操作も可能とし、利用者の利便性を向上させることができる携帯端末の遠隔操作システムを提供する。【解決手段】携帯端末の遠隔操作システムは、操作対象の携帯端末と、この携帯端末に通信回線を介して接続可能な通信端末とを有する。通信端末は、携帯端末内の機能を直接制御するための制御情報を通信回線を介して携帯端末に送ることにより、携帯端末を遠隔操作する。【選択図】図１
2011172068.tif 000002
【特許請求の範囲】
【請求項１】
操作対象の携帯端末と、
前記携帯端末に通信回線を介して接続可能な通信端末とを有し、
前記通信端末は、前記携帯端末内の機能を直接制御するための制御情報を前記通信回線を介して前記携帯端末に送ることにより、前記携帯端末を遠隔操作することを特徴とする携帯端末の遠隔操作システム。
【請求項２】
前記携帯端末内の機能は、ＧＰＳ機能を含み、
前記通信端末は、前記ＧＰＳ機能を直接制御するための制御情報を前記通信回線を介して前記携帯電話に送ることにより、前記ＧＰＳ機能を遠隔操作して前記携帯端末の位置情報を取得することを特徴とする請求項１に記載の携帯端末の遠隔操作システム。
【請求項３】
前記携帯端末内の機能は、撮像機能を含み、
前記通信端末は、前記撮像機能を直接制御するための制御情報を前記通信回線を介して前記携帯電話に送ることにより、前記撮像機能を遠隔操作して前記携帯端末の周辺を撮像した画像を取得することを特徴とする請求項１又は２に記載の携帯端末の遠隔操作システム。
【請求項４】
前記携帯端末内の機能は、三者通話機能を含み、
前記通信端末は、前記三者通話機能を直接制御するための制御情報を前記通信回線を介して前記携帯電話に送ることにより、前記三者通話機能を遠隔操作して前記携帯端末から他の通信端末へ音声発信させ、前記携帯端末を介して当該他の通信端末との間で通話を行うことを特徴とする請求項１から３のいずれか１項に記載の携帯端末の遠隔操作システム。
【請求項５】
前記携帯端末内の機能は、メール機能を含み、
前記通信端末は、前記メール機能を直接制御するための制御情報を前記通信回線を介して前記携帯電話に送ることにより、前記メール機能を遠隔操作して前記携帯端末にて他の通信端末宛のメールを作成しそのメールを他の通信端末に送信することを特徴とする請求項１から４のいずれか１項に記載の携帯端末の遠隔操作システム。
【請求項６】
前記携帯端末内の機能は、インターネット機能を含み、
前記通信端末は、前記インターネット機能を直接制御するための制御情報を前記通信回線を介して前記携帯電話に送ることにより、前記インターネット機能を遠隔操作して前記携帯端末にてネットワーク上の所定サイトに接続しその閲覧を行うことを特徴とする請求項１から５のいずれか１項に記載の携帯端末の遠隔操作システム。
【請求項７】
前記通信端末は、音声通信により前記制御情報を送ることを特徴とする請求項１から６のいずれか１項に記載の携帯端末の遠隔操作システム。
【請求項８】
前記通信端末は、パケット通信により前記制御情報を送ることを特徴とする請求項１から６のいずれか１項に記載の携帯端末の遠隔操作システム。
【請求項９】
操作対象の携帯端末に通信回線を介して接続可能な通信端末が、前記携帯端末内の機能を直接制御するための制御情報を前記通信回線を介して前記携帯端末に送ることにより、前記携帯端末を遠隔操作することを特徴とする携帯端末の遠隔制御方法。
【発明の詳細な説明】
【技術分野】
【０００１】
本発明は、携帯端末の遠隔操作システム及びその遠隔操作方法に関する。
【背景技術】
【０００２】
近年、携帯電話には、電話番号やメールアドレス、あるいは画像やメール等さまざまな情報が保存されている。これらの情報は、携帯電話内に保持されているがゆえにいつでも参照、閲覧が可能である。一方、外出時に家へ置き忘れた場合等、携帯電話が手元に無い場合は、これらの情報を参照、閲覧できない事でさまざまな不便を生じる。
【０００３】
たとえば、公共交通手段の遅延により職場や訪問先へ緊急の連絡が必要となった場合、連絡先の電話番号やメールアドレスが携帯電話のメモリに登録されてはいるが覚えていないような場合は、携帯電話が手元に無い限り連絡が取れないこととなる。
【０００４】
これを解決する手段としては、携帯電話を遠隔操作する方法が考えられる。しかし、従来の技術は、携帯電話の置き忘れに着目しているがために、個人情報保護のために携帯電話の機能をロックするものが大部分を占め、携帯電話内の情報を利用するため活用できるものは殆ど存在しない。これに関し、遠隔操作で携帯電話を利用する技術も知られている（例えば、特許文献１〜４参照）。
【０００５】
例えば、特許文献１には、１回のボタンの押下などの簡単な操作のみで制御局からの遠隔操作に従い情報端末の携帯電話により自動発信可能な携帯電話制御システムが記載されている。
【０００６】
また、特許文献２には、携帯電話機に手を加えずに使用して被制御機器の遠隔制御を実行する遠隔制御システムが記載されている。
【０００７】
また、特許文献３には、自端末に対するリモートアクセスを許容するか否かを判定し、許容すると判定したときに外部ネットワークからの要求に応答して自端末内の情報閲覧及び着信応答メッセージの更新を行う携帯電話装置が記載されている。
【０００８】
さらに、特許文献４には、携帯電話機を家に置き忘れた場合でも、遠隔操作にて携帯電気内の情報を得ることが可能な移動通信端末が記載されている。
【先行技術文献】
【特許文献】
【０００９】
【特許文献１】特開平１０−２１５３２８号公報
【特許文献２】特開２０００−１９６７６８号公報
【特許文献３】特開２００４−０９６６５５号公報
【特許文献４】特開２００７−１７４５２５号公報
【発明の概要】
【発明が解決しようとする課題】
【００１０】
しかしながら、上記の特許文献１〜４の技術には、次のような課題がある。
【００１１】
特許文献１に記載の携帯電話制御システムは、別に制御装置が必要であるといった特殊な環境でしか利用できず、上記のように携帯電話の置き忘れといった状況での利用は想定されていない。
【００１２】
特許文献２に記載の遠隔制御システムは、携帯電話単体では使用できず、被制御機器が必要となり、遠隔操作するために予め機器の準備が必要であるため、上記のように突発的に遠隔操作が必要な状況となった場合に対応できない。
【００１３】
特許文献３に記載の携帯電話装置は、携帯電話内部の情報を参照することにのみ考慮されており、携帯電話自身の遠隔操作も可能とするものではない。この点は、特許文献４に記載の移動通信端末も同様である。
【００１４】
本発明は、携帯電話が手元に無い状態でも携帯電話を利用することができ、携帯電話自身の遠隔操作も可能とし、利用者の利便性を向上させることができる携帯端末の遠隔操作システム及びその遠隔操作方法を提供することを目的とする。
【課題を解決するための手段】
【００１５】
上記目的を達成するため、本発明に係る携帯端末の遠隔操作システムは、操作対象の携帯端末と、前記携帯端末に通信回線を介して接続可能な通信端末とを有し、前記通信端末は、前記携帯端末内の機能を直接制御するための制御情報を前記通信回線を介して前記携帯電話に送ることにより、前記携帯端末を遠隔操作することを特徴とする。
【００１６】
本発明に係る携帯端末の遠隔制御方法は、操作対象の携帯端末に通信回線を介して接続可能な通信端末が、前記携帯端末内の機能を直接制御するための制御情報を前記通信回線を介して前記携帯電話に送ることにより、前記携帯端末を遠隔操作することを特徴とする。
【発明の効果】
【００１７】
本発明によれば、携帯電話が手元に無い状態でも携帯電話を利用することができ、携帯電話自身の遠隔操作も可能とし、利用者の利便性を向上させることができる携帯端末の遠隔操作システム及びその遠隔操作方法を提供することができる。
【図面の簡単な説明】
【００１８】
【図１】本発明の実施形態に係る携帯電話の遠隔操作システムの全体構成を示す概略ブロック図である。
【図２】図１に示す携帯端末の遠隔操作システムによる音声での遠隔操作メニュー呼び出しおよび操作時の動作を説明する概略フローチャートである。
【図３】図１に示す携帯端末の遠隔操作システムによるパケット通信での遠隔操作メニュー呼び出しおよび操作時の動作を説明する概略フローチャートである。
【図４】図１に示す携帯端末の遠隔操作システムによる三者通話機能を利用した遠隔操作での音声通信時の動作を説明する概略フローチャートである。
【図５】図１に示す携帯端末の遠隔操作システムにより遠隔操作での携帯電話へのメール送信時の動作を説明する概略フローチャートである。
【図６】図１に示す携帯端末の遠隔操作システムにより遠隔操作での携帯サイト閲覧時の動作を説明する概略フローチャートである。
【図７】図１に示す携帯電話の内部構成を示す概略ブロック図である。
【図８】図１に示すＰＣの内部構成を示す概略ブロック図である。
【発明を実施するための形態】
【００１９】
次に、本発明に係る携帯端末の遠隔操作システム及びその遠隔操作方法の実施の形態について、図面を参照して詳細に説明する。
【００２０】
本実施の形態に係る携帯端末の遠隔操作システムは、電話回線やインターネット回線等の通信回線を利用して、携帯電話（携帯端末）のキー操作等に関する制御情報や、携帯電話内の機能（例えば、ＧＰＳ（Global Positioning System）衛星からの信号を受信して位置計測（測位）を行うＧＰＳ機能、内蔵カメラにより被写体を撮像する撮像機能、メール作成・送受信等を行うメール機能、インターネットへの接続及びそのサイトの閲覧等を行うインターネット機能、三者通話機能等）を直接制御するための制御情報を、固定電話、携帯電話、インターネット接続可能な通信端末から対象の携帯電話（携帯端末）に送信し、手元に携帯電話が無い場合でも携帯電話を利用するための手段を提供している。この手段の詳細について以下に説明する。
【００２１】
図１は、本実施の形態の構成例を示す。本実施の形態は、操作対象の携帯電話端末（以下、「携帯電話（本発明の携帯端末に対応する。）」又は必要に応じて「接続先端末」と呼ぶ。）１０１と、遠隔地から携帯電話を操作するための通信手段とから構成される。
【００２２】
ここで、通信手段とは、携帯電話網に接続された携帯電話１０３、固定電話１０４、インターネット網に接続されたＰＣ（パーソナルコンピュータ）１０６等のインターネット接続端末（以下、必要に応じて「接続元端末（本発明の通信端末に対応する。）」と呼ぶ。）のいずれかを指す。
【００２３】
なお、携帯電話網には、携帯電話サーバ１０２が含まれる。インターネット網には、インターネットサーバ１０５や、携帯電話向けサイトを構成するサーバ（以下、携帯向けサイト）１０８が含まれる。
【００２４】
携帯電話１０１、１０３及び固定電話１０４は、携帯電話網に接続可能な通信部のほか、ＣＰＵ（Central Processing Unit）を有する制御部、ＣＰＵの動作プログラム等を格納するメモリ、操作部（キーマトリクス、タッチパネル等）、音声入出力部（マイクロフォン及びスピーカ）を含む通話部、表示部（液晶ディスプレイ等）、電源部等の構成要素（その他、携帯電話には、ＧＰＳ部、撮像部等も含まれる）を有する。制御部には、装置内の各部の動作を制御する制御プログラムが含まれる。これらの構成要素には、既知のものが適用可能である。その一例を図７に示す。
【００２５】
図７に示す携帯電話１０１は、既知の内部構成、すなわちアンテナ部２０１、無線通信部（変調器を含む送信回路、復調器を含む受信回路、局部発振器等の高周波回路を含む。）２０２、信号処理部（ベースバンド処理部を含む。）２０３、制御部（ＣＰＵを有するマイクロコンピュータ等で構成される。）２０４、記憶部（ＲＯＭ、ＲＡＭ等を含む。）２０５、通話部（音声コーデック部、音声入力器（マイクロフォン）、音声出力器（スピーカ）等を含む。）２０６、操作部（キーマトリクス、タッチパネル等の操作器を含む。）２０７、表示部（液晶ディスプレイ等）２０８、内蔵カメラにより被写体を撮像する撮像部２０９、ＧＰＳ衛星からの信号を受信して位置計測を行うＧＰＳ部２１０等の各部を有する。
【００２６】
ＰＣ１０６は、インターネット網に接続可能な通信装置のほか、プログラム制御で動作するＣＰＵ、メモリ、各種入出力装置等のコンピュータアーキテクチャに基づく構成要素を有する。これらの構成要素には、既知のものが適用可能である。その一例を図８に示す。
【００２７】
図８に示すＰＣ１０６は、ＣＰＵ３０１と、このＣＰＵ３０１にバスを介して接続される、ＲＯＭ３０２、ＲＡＭ３０３、ＨＤＤ（ハードディスク駆動装置）３０４、液晶ディスプレイ等のディスプレイ３０５、キーボード／マウス３０６、及び通信Ｉ／Ｆ（インターフェース）３０７とを有している。通信Ｉ／Ｆ３０７は、インターネット網に接続される。ＨＤＤ２４等の記録媒体には、ＣＰＵ３０１により実行されるソフトウェア（ＯＳ、アプリケーションプログラム等）が実装されている。
【００２８】
利用者は、遠隔操作用の通信手段（携帯電話１０３、固定電話１０４、ＰＣ１０６）を用いて、携帯電話網又はインターネット網を介して操作対象の携帯電話１０１へ接続する。この場合の接続手段としては、音声接続とパケット接続の２通りを取りえる。
【００２９】
まず、音声で接続する場合、接続元端末（図１の例では、操作対象の携帯電話１０１への通信手段として使用した携帯電話１０３又は固定電話１０４）からのＤＴＭＦ（Dual-Tone Multi-Frequency）信号を用いて接続先端末（図１の例では、操作対象の携帯電話１０１）へ、操作信号（携帯電話１０１のキー操作等に関する制御情報や、携帯電話１０１内の機能を直接制御するための制御情報）を送る。ＤＴＭＦ信号は、操作部のキーに割り当てられる「０」〜「９」までの数字、「＊」、「＃」、「Ａ」〜「Ｄ」までの記号の１６種類の符号を、低群周波数及び高群周波数の２つの音声信号の合成音として送信するものである。本実施の形態で用いる接続元端末（携帯電話１０３及び固定電話１０４）及び接続先端末（携帯電話１０１）は、前述した各部の動作により、ＤＴＭＦ信号を用いて予め設定された操作信号を送受信し、その操作信号に応じた動作を行う。
【００３０】
このＤＴＭＦ信号を受けた接続先端末は、そのＤＴＭＦ信号として送信された操作信号に応じた操作を行い、その結果と、次の操作で選択可能な操作内容を音声にて接続元端末にアナウンスする。ここで、接続先端末から接続元端末にアナウンスされる音声の内容（音声メッセージ）は、ＤＴＭＦ信号による操作信号に関連付けて接続先端末側のメモリ等の記憶部に予め格納されている。
【００３１】
次に、パケットで接続する場合、インターネット回線を通じて接続先端末である携帯電話１０１へ接続し、携帯電話１０１のキー操作等に関する制御情報や、携帯電話１０１内の機能を直接制御するための制御情報として、ＡＴコマンドをパケットデータに載せて送信する。ＡＴコマンドは、モデム、ターミナルアダプタ（ＴＡ）等の通信装置の制御に使用されるコマンド体系の一つであり、コマンド（端末から通信装置に動作を指示する時に使用されるもの）、Ｓレジスタ（自動着信動作を規定するパラメータを格納するレジスタで、コマンド実行時に参照されるもの）、リザルトコード（コマンド実行結果の報告や着信の報告等）から構成される。本実施の形態で用いるＰＣ１０６等のインターネット利用可能な接続元端末は、このようなＡＴコマンドを用いて予め設定された操作信号を送受信し、その操作信号に応じた動作を行う。
【００３２】
このＡＴコマンドを載せたパケットデータを受信した接続先端末（携帯電話１０１）は、ＡＴコマンドの実行結果とその際の携帯電話１０１の画面データをパケットデータに載せて接続元端末に返送する。これを受けた接続元端末では、受信した携帯電話１０１の画面データを接続元端末の画面上に表示した上で、利用者へ次の操作を促す。
【００３３】
次に、本実施の形態の動作について説明する。
【００３４】
まず、図２にて、接続元端末として、図１の携帯電話１０３や固定電話１０４を用いた、音声での遠隔操作開始方法について説明する。
【００３５】
利用者は、接続元端末である携帯電話１０３や固定電話１０４を使用して、携帯電話網を介して、接続先端末である携帯電話１０１の接続先電話番号に発信する（ステップＳ２０１）。接続先端末（携帯電話１０１）が応答すると、利用者は、接続元端末からのＤＴＭＦ信号を接続先端末に送信し、遠隔操作メニューを呼び出す（ステップＳ２０２）。遠隔操作メニューは、ＤＴＭＦ信号による操作信号に関連付けて接続先端末側のメモリ等の記憶部に予め格納されている。
【００３６】
遠隔操作メニューに移行すると、不正利用防止のため、最初にパスワード（暗証番号）の入力を行う（ステップＳ２０３）。利用者がＤＴＭＦ信号にてパスワードを入力すると、接続先端末は、入力されたパスワードが正当かどうかを確認する（ステップＳ２０４）。
【００３７】
パスワードの入力を間違えると、再度パスワードの入力を促し、一定回数パスワードの入力を誤ると、遠隔操作メニューを終了し、呼を切断する（ステップＳ２０５〜Ｓ２０６）。パスワードが正当であれば（ステップ２０４：Ｙｅｓ）、利用者は、遠隔操作メニューに接続した旨のガイダンスを流し、利用可能となる（ステップＳ２０７〜Ｓ２０８）。
【００３８】
遠隔操作メニュー接続後は、ガイダンスで利用できる機能と対応するキー操作を接続元端末に音声でアナウンスし、そのガイダンス内容に従ったキー操作を行うことで、ＤＴＭＦ信号を送信する（ステップＳ２０９）。ＤＴＭＦ信号を受信した接続先端末は、該当する操作を行い、その結果を音声にて応答する（ステップＳ２１１）。
【００３９】
遠隔操作を終了する際は、これに該当するＤＴＭＦ信号を送信し、これを受けた接続先端末は呼を切断する（ステップＳ２１０、Ｓ２０６）。このときに押下するキーは、ガイダンスにて予めユーザにアナウンスする。
【００４０】
次に、パケット通信を用いた遠隔操作方法を図３に示す。利用者は、図１のＰＣ１０６等のインターネット利用可能な接続先端末より、インターネット網及び携帯電話網を介して、接続先端末である携帯電話１０１へパケット接続を行い、遠隔操作メニューを呼び出す（ステップＳ３０１〜Ｓ３０２）。この際、パケット通信を開始する手段として、たとえばＳＭＳ（Short Message Service）や、制御情報を含めたメール等を利用する。
【００４１】
パケット接続した後は、音声接続の場合と同様に、正しいパスワードを入力した場合のみ遠隔操作可能な状態へ遷移する（ステップＳ３０３〜Ｓ３０７）。パケット接続を利用する場合は、パケットデータに載せて画像等の情報の伝送が可能なため、接続完了した場合には、接続先端末の画面を表示する（ステップＳ３０８）。
【００４２】
遠隔操作可能な状態となった後、利用者は、接続元端末経由で接続先端末を操作する。この操作内容をＡＴコマンドとしてパケットデータに載せ、接続先端末へそのパケットデータを伝送することで、接続元端末を操作する（ステップＳ３０９）。
【００４３】
上記のパケットデータを受信した接続先端末は、ＡＴコマンドで指定された操作を行い、その後の操作結果および操作後の画面データをパケットデータに載せて返送する（ステップＳ３１１）。操作した動作が遠隔操作終了を示す内容であった場合、パケット回線を切断する（ステップＳ３１０、Ｓ３０６）。
【００４４】
従って、本実施の形態によれば、次のような効果を奏することができる。
【００４５】
（１）携帯電話が手元にない状態でも、携帯電話内に保持されている電話帳のデータが参照できるため、たとえば、携帯電話１０７を家に置き忘れた状態で外に出かけ、（事故や交通トラブル等で）連絡が必要となった場合に、連絡先の電話番号が分からない状態でも、公衆電話や同行している友人の携帯電話１０３から、連絡先の確認ができるようになる。
【００４６】
（２）携帯電話内の三者通話機能を利用することで、公衆電話等の固定電話１０４の一般電話回線より携帯電話１０１の電話帳を呼び出し、その携帯電話１０１より発信することで、公衆電話１０４から携帯電話１０１を経由し、発信先端末である携帯電話１０７（図１参照）と通話するといった利用も可能となる（図４：ステップＳ４０１〜Ｓ４０５参照）。
【００４７】
図４は、図１に示す携帯端末の遠隔操作システムにより三者通話機能を利用した遠隔操作での音声通信を行う場合の動作を説明するものである。図４において、上述したように接続元端末である固定電話１０４より接続先端末である携帯電話１０１へ遠隔操作接続後（ステップＳ４０１）、ＤＴＭＦ信号を用いた音声通信により接続元端末から携帯電話１０１へ三者通話機能を直接制御するための制御情報を送ることにより、接続先端末より発信先端末へ音声発信し（ステップＳ４０２）、これにより発信先端末、接続先端末、接続元端末で三者通話を行い（ステップＳ４０３）、発信先端末との通話終了後（ステップＳ４０４）、遠隔操作を終了する（ステップＳ４０５）。
【００４８】
（３）パケット通信を用いた形態での実現方法では、携帯電話を紛失した際に遠隔操作で携帯電話に搭載されているＧＰＳで位置を測位してメールで接続元端末へ送信したり、あるいは携帯電話のカメラを起動して周辺の画像を確認したりするといった方法で探すことが可能となる。
【００４９】
以上説明した効果は、例えば、携帯電話を家に忘れて外出した際、外出先からの電話帳やメールアドレスなどの連絡先やスケジュールの参照や、電話やメールでの連絡をする必要がある場合、或いは携帯電話の紛失時、携帯電話内臓のＧＰＳ機能やカメラ機能を利用して探す場合等、最大限に発揮させることができる。
【００５０】
なお、本実施の形態では、音声での遠隔操作で接続元と接続先を直接接続する形態としているが、実際の利用上は、利用者は留守番電話等の事業者が提供しているサービスを利用していることが多い。この場合、接続先端末は一定時間の呼び出し時間内で応答しない場合は事業者ネットワーク内の留守番電話サービスに接続されるため、接続先端末に自動応答させるためには、事前に留守番電話サービスを一時停止した上で、一定時間の呼び出し後、自動応答するように設定を変更させる必要があり、利便性が悪い。
【００５１】
したがって、遠隔操作の機能を携帯電話ネットワーク内に設け、利用者は、特番発信（遠隔操作用に用意した特定番号＋接続先端末の電話番号）して、携帯電話ネットワークに接続し、接続先端末は携帯電話ネットワークからの呼び出しを介して応答するという利用形態も考えられる。加えて、本利用形態の場合、応答メッセージや利用メニューの構成等をネットワーク側の変更で更新可能であるため、接続先端末側で音声メッセージを保持する必要がない、端末に変更を加えることなくメニュー構成や利用機能の変更、といった柔軟な運用が可能である。
【００５２】
また、本実施の形態では、パケットでの遠隔操作で、接続元端末と接続先端末を直接パケット回線を接続する形態としているが、接続先端末とのパスワード認証や、接続先端末との接続等の機能を、インターネット網側のインターネットサーバ１０５（図１参照）や携帯電話網側の携帯電話サーバ１０２（図１参照）で実施するといった、機能を分散しての実施形態も考えられる。
【００５３】
本実施の形態では、パケットに載せるデータは、ＡＴコマンドと携帯電話の画面データのみとして記載しているが、パケットに載せるデータをこれらに限定せず、さまざまなデータをパケット化して送受信する実施形態もありえる。
【００５４】
この場合、遠隔操作で接続先端末から電話をかけ、通話相手との音声データを接続元端末と接続先端末でパケットデータとして送受信することで、携帯電話が手元に無くとも、接続元端末と通話相手で電話をする、といった利用や、接続元端末から遠隔操作でメールの作成・送信を行うことで、携帯電話以外からのメール着信を拒否している携帯電話宛てにもメールを送信することが可能とする（図５：ステップＳ５０１〜Ｓ５０４参照）、携帯電話からしか閲覧できない携帯向けサイト１０８（図１参照）を接続元端末でも閲覧可能とする等の利用も可能である（図６：ステップＳ６０１〜Ｓ６０３参照）。
【００５５】
図５は、図１に示す携帯端末の遠隔操作システムにより遠隔操作での携帯電話へのメール送信時の動作を説明するものである。図５において、上述したように接続元端末であるＰＣ１０６より接続先端末である携帯電話１０１へ遠隔操作接続後（ステップＳ５０１）、ＡＴコマンドを用いたパケット通信によりＰＣ１０６から携帯電話１０１へメール機能を直接制御するための制御情報を送ることにより、ＰＣ１０６より遠隔操作にて接続先端末内のメール機能を用いて送信先端末である携帯電話１０７宛のメールを作成し（ステップＳ５０２）、接続先端末からそのメールを携帯電話１０７へ送信し（ステップＳ５０３）、遠隔操作を終了する（ステップＳ５０４）。
【００５６】
図６は、図１に示す携帯端末の遠隔システムにより遠隔操作での携帯サイト閲覧時の動作を説明するものである。図６において、上述したように接続元端末であるＰＣ１０６より接続先端末である携帯電話１０１へ遠隔操作接続後（ステップＳ６０１）、ＡＴコマンドを用いたパケット通信によりＰＣ１０６から携帯電話１０１へインターネット機能を直接制御するための制御情報を送ることにより、ＰＣ１０６より遠隔操作にて接続先端末のインターネット機能を用いて携帯向けサイト１０８（図１参照）への接続及びその閲覧を行い（ステップＳ５０２）、遠隔操作を終了する（ステップＳ５０４）。
【００５７】
なお、上記の携帯端末の遠隔操作システム及びその遠隔操作方法は、ハードウェア、ソフトウェア又はこれらの組合せにより実現することができる。この場合のハードウェア、ソフトウェア構成は特に限定されるものではなく、上述した携帯端末（携帯電話１０１）、通信端末（携帯電話１０３、固定電話１０４、ＰＣ１０６）のそれぞれの機能を実現可能であれば、いずれの形態のものでも適用可能である。
【００５８】
上記の実施の形態の一部又は全部は、以下の付記のようにも記載されうるが、以下には限定されない。
【００５９】
（付記１）操作対象の携帯端末と、前記携帯端末に通信回線を介して接続可能な通信端末とを有し、前記通信端末は、前記携帯端末内の機能を直接制御するための制御情報を前記通信回線を介して前記携帯端末に送ることにより、前記携帯端末を遠隔操作することを特徴とする携帯端末の遠隔操作システム。
【００６０】
（付記２）前記携帯端末内の機能は、ＧＰＳ機能を含み、前記通信端末は、前記ＧＰＳ機能を直接制御するための制御情報を前記通信回線を介して前記携帯電話に送ることにより、前記ＧＰＳ機能を遠隔操作して前記携帯端末の位置情報を取得することを特徴とする付記１に記載の携帯端末の遠隔操作システム。
【００６１】
（付記３）前記携帯端末内の機能は、撮像機能を含み、前記通信端末は、前記撮像機能を直接制御するための制御情報を前記通信回線を介して前記携帯電話に送ることにより、前記撮像機能を遠隔操作して前記携帯端末の周辺を撮像した画像を取得することを特徴とする付記１又は２に記載の携帯端末の遠隔操作システム。
【００６２】
（付記４）前記携帯端末内の機能は、三者通話機能を含み、前記通信端末は、前記三者通話機能を直接制御するための制御情報を前記通信回線を介して前記携帯電話に送ることにより、前記三者通話機能を遠隔操作して前記携帯端末から他の通信端末へ音声発信させ、前記携帯端末を介して当該他の通信端末との間で通話を行うことを特徴とする付記１から３のいずれか１項に記載の携帯端末の遠隔操作システム。
【００６３】
（付記５）前記携帯端末内の機能は、メール機能を含み、前記通信端末は、前記メール機能を直接制御するための制御情報を前記通信回線を介して前記携帯電話に送ることにより、前記メール機能を遠隔操作して前記携帯端末にて他の通信端末宛のメールを作成しそのメールを他の通信端末に送信することを特徴とする付記１から４のいずれか１項に記載の携帯端末の遠隔操作システム。
【００６４】
（付記６）前記携帯端末内の機能は、インターネット機能を含み、前記通信端末は、前記インターネット機能を直接制御するための制御情報を前記通信回線を介して前記携帯電話に送ることにより、前記インターネット機能を遠隔操作して前記携帯端末にてネットワーク上の所定サイトに接続しその閲覧を行うことを特徴とする付記１から５のいずれか１項に記載の携帯端末の遠隔操作システム。
【００６５】
（付記７）前記通信端末は、音声通信により前記制御情報を送ることを特徴とする付記１から６のいずれか１項に記載の携帯端末の遠隔操作システム。
【００６６】
（付記８）前記音声通信は、ＤＴＭＦ信号を用いたものであることを特徴とする付記７に記載の携帯端末の遠隔操作システム。
【００６７】
（付記９）前記通信端末は、パケット通信により前記制御情報を送ることを特徴とする付記１から８のいずれか１項に記載の携帯端末の遠隔操作システム。
【００６８】
（付記１０）前記パケット通信は、ＡＴコマンドを用いたものであることを特徴とする付記９に記載の携帯端末の遠隔操作システム。
【００６９】
（付記１１）操作対象の携帯端末に通信回線を介して接続可能な通信端末が、前記携帯端末内の機能を直接制御するための制御情報を前記通信回線を介して前記携帯端末に送ることにより、前記携帯端末を遠隔操作することを特徴とする携帯端末の遠隔制御方法。
【００７０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００７１】
以上説明したように、本発明は、携帯端末の遠隔操作システム及びその遠隔操作方法の用途に利用可能である。
【符号の説明】
【００７２】
１０１  携帯電話（接続先端末）
１０２  携帯電話サーバ
１０３  携帯電話（接続元端末）
１０４  固定電話（接続元端末）
１０５  インターネットサーバ
１０６  ＰＣ（接続元端末）
１０７  携帯電話（発信先端末）
１０８  携帯向けサイト
【図１】
2011172068.tif 000003
【図２】
2011172068.tif 000004
【図３】
2011172068.tif 000005
【図４】
2011172068.tif 000006
【図５】
2011172068.tif 000007
【図６】
2011172068.tif 000008
【図７】
2011172068.tif 000009
【図８】
2011172068.tif 000010